(57)【要約】【課題】表示部と制御部とを構造的に分離して単一の表示部に対して複数の表示部を組み合わせて使用することができるタッチパネル付き表示装置を提供すること。【解決手段】タッチパネル２５、タッチパネル２５の入力位置を検出するキー入力検出部２４、および表示データを表示する液晶表示器２１を有する表示部２と、表示部２を制御する制御部１とにインタフェースコネクタ２６，１２を備えて、インタフェースコネクタ２６，１２によって表示部２と制御部２とを接続する構成とし、制御部１は表示部２の識別ＩＤ設定部２２に設定されている識別ＩＤを読み出すことで接続された表示部２を識別する。【選択図】        図１
2006107097.tif 000002
【特許請求の範囲】
【請求項１】
タッチパネル、このタッチパネルの入力位置を検出するキー入力検出部、および表示データを表示する表示器を有する表示ユニットと、前記表示ユニットを制御する制御ユニットとを備えるタッチパネル付き表示装置において、
前記表示ユニットは、
当該表示ユニットを識別する識別ＩＤを設定する識別ＩＤ設定部と、
前記制御ユニットとのインタフェース機能を有する第１のインタフェースコネクタと、
を備え、
前記制御ユニットは、
前記表示ユニットとのインタフェース機能を有し、前記第１のインタフェースコネクタに接続される第２のインタフェースコネクタと、
前記第１および第２のインタフェースコネクタを介して前記識別ＩＤ設定部に設定されている識別ＩＤを読み出し、読み出した識別ＩＤに基づいて当該制御ユニットに接続されている表示ユニットを識別し、この識別に応じた設定処理を接続された表示ユニットに対し実行する設定処理手段と、
を備えることを特徴とするタッチパネル付き表示装置。
【請求項２】
前記制御ユニットは、
表示ユニットが有する表示器の情報およびタッチパネルの情報が複数の異なる識別ＩＤ毎に定義された情報テーブルを有し、
前記設定処理手段は、この情報テーブルを用いて前記識別ＩＤに対応する設定処理を実行することを特徴とする請求項１に記載のタッチパネル付き表示装置。
【請求項３】
前記キー入力検出部は、
前記タッチパネルのマトリックスに対応したスキャンマスクレジスタを備え、
このスキャンマスクレジスタに基づいてスキャンを行うか否かを決定し、
前記制御ユニットの設定処理手段は、前記情報テーブルを用いて前記識別ＩＤに対応するスキャンマスクレジスタの設定処理を実行することを特徴とする請求項２に記載のタッチパネル付き表示装置。
【発明の詳細な説明】
【技術分野】
【０００１】
本発明は、タッチパネルによるキー入力機能を備えたタッチパネル付き表示装置に関するものであり、特に、表示部とこの表示部を制御する制御部とを構造的に分離したタッチパネル付き表示装置に関するものである。
【背景技術】
【０００２】
従来から、表示画面の一部の領域を押圧させることで外部からの入力を受け付けるタッチパネルによるキー入力機能を備えた表示装置に関する種々の技術が考えられている。
【０００３】
特許文献１には、液晶表示装置などの表示装置の画面にタブレットを一体に配置して、タブレットの指定位置を画面に表示する表示装置に関する技術が開示されている。特許文献１に記載の表示装置は、表示データ生成回路、通信制御回路および入出力ポートを有する制御部と、液晶表示インタフェース、タブレット（タッチパネル）によるキー入力部、およびキー入力回路を有する表示部とが複数のインタフェースによって接続される一体構造となっている。
【０００４】
また、特許文献２には、タッチパネルの指示位置の検出に要する時間を短縮するタッチスクリーン装置（表示装置）に関する技術が開示されている。具体的には、タッチスクリーン（表示部）上に設定されている論理スイッチに関してそれぞれに対応する行Ｙ０，Ｙ１，・・・，および列Ｘ０，Ｘ１，・・・，を記憶した論理スイッチ管理テーブルと、この論理スイッチ管理テーブルの記憶内容に基づいてタッチスクリーンの各行Ｙ０，Ｙ１，・・・単位で論理スイッチの設定状況を記憶した行管理テーブルとを備え、制御回路が行管理テーブルに記憶されている内容に従って論理スイッチの設定状況が同一の行を一括して選択回路に選択させるようにして、検出に要する時間を短縮するようにしている。
【０００５】
【特許文献１】特開平０８−３１４６３４号公報
【特許文献２】特開２０００−２５９３５１号公報
【発明の開示】
【発明が解決しようとする課題】
【０００６】
しかしながら、特許文献１および特許文献２に記載の従来技術の表示装置は、表示部と、表示部を制御する制御部とが一体構造となっているので、ユーザが単一の表示部に対して複数の表示部を組み合わせて使用することはできない。そのため、表示部の表示器の表示サイズや解像度、またはタッチパネルのサイズを変更する場合には、制御部と表示部とを同時に交換しなければならないという問題があった。
【０００７】
また、上記２つの従来技術の表示装置の表示部と制御部を単純に分離した場合、制御部が表示部を判別することができないので、タッチパネルの押圧を検出するキー入力回路の入力キースキャン領域を実際に接続されているデジタルマトリックス方式のタッチパネルのマトリックスサイズに設定することはできない。すなわち、タッチパネルのマトリックスサイズを判別することができないため、処理可能な最大マトリックスサイズを入力キースキャン領域としてスキャン動作を行わなければならず、キー入力回路が処理可能な最大マトリクスサイズより小さいサイズのタッチパネルを有する表示部を使用する場合、キースキャン周期が妥当な時間よりかなり長くなって、タッチキーレスポンス性能が悪化するという問題があった。
【０００８】
この発明は上記に鑑みてなされたもので、表示部と制御部とを構造的に分離して、単一の表示部に対して複数の表示部を組み合わせて使用することができるタッチパネル付き表示装置を得ることを第１の目的とする。
【０００９】
第２の目的は、表示部と制御部とを構造的に分離して、タッチパネルのマトリックスサイズが異なる表示部を制御部に接続した場合でも、タッチキーレスポンス性能の低下を抑制することができるタッチパネル付き表示装置を得ることである。
【課題を解決するための手段】
【００１０】
上述した課題を解決し、目的を達成するために、本発明にかかるタッチパネル付き表示装置は、タッチパネル、このタッチパネルの入力位置を検出するキー入力検出部、および表示データを表示する表示器を有する表示ユニットと、前記表示ユニットを制御する制御ユニットとを備えるタッチパネル付き表示装置において、前記表示ユニットは、当該表示ユニットを識別する識別ＩＤを設定する識別ＩＤ設定部と、前記制御ユニットとのインタフェース機能を有する第１のインタフェースコネクタと、を備え、前記制御ユニットは、前記表示ユニットとのインタフェース機能を有し、前記第１のインタフェースコネクタに接続される第２のインタフェースコネクタと、前記第１および第２のインタフェースコネクタを介して前記識別ＩＤ設定部に設定されている識別ＩＤを読み出し、読み出した識別ＩＤに基づいて当該制御ユニットに接続されている表示ユニットを識別し、この識別に応じた設定処理を接続された表示ユニットに対し実行する設定処理手段と、を備えることを特徴とする。
【発明の効果】
【００１１】
この発明にかかるタッチパネル付き表示装置によれば、タッチパネル、タッチパネルの入力位置を検出するキー入力検出部、および表示データを表示する表示器とを有する表示ユニットと、表示ユニットを制御する制御ユニットとにインタフェースコネクタを備えて、このインタフェースコネクタによって表示ユニットと制御ユニットとを接続する構成とし、制御ユニットは表示ユニットに付与されている識別ＩＤによって接続された表示ユニットを識別して、識別に応じた設定処理を表示ユニットに実行するようにしているので、表示ユニットと制御ユニットとを構造的に分離して単一の表示ユニットに対して複数の表示ユニットを組み合わせて使用することができる。
【発明を実施するための最良の形態】
【００１２】
以下に、この発明にかかるタッチパネル付き表示装置の実施の形態を図面に基づいて詳細に説明する。なお、この実施の形態によりこの発明が限定されるものではない。
【００１３】
図１〜図７を用いてこの発明の実施の形態を説明する。図１は、この発明にかかる実施の形態のタッチパネル付き表示装置の構成を示すブロック図である。この発明にかかる実施の形態のタッチパネル付き表示装置は、ＣＰＵ（Central Processing Unit）１０と、記憶部１３と、発振器１４と、タイミング制御部１１と、インタフェースコネクタ１２（特許請求の範囲でいうところの第２のインタフェースコネクタ）とを有する制御部１と、識別ＩＤ設定部２２と、入力ポート２３と、キー入力検出部２４と、タッチパネル２５と、液晶表示器２１と、インタフェースコネクタ２６（特許請求の範囲でいうところの第１のインタフェースコネクタ）とを有する表示部２とを備えている。表示データを生成する制御部１と、制御部１によって生成された表示データを液晶表示器２１に表示する表示部２とはインタフェースコネクタ１２，２６によってケーブルなどで接続される分離構造となっている。なお、ＣＰＵ１０とタイミング制御部１とで特許請求の範囲でいうところの設定処理手段を実現している。
【００１４】
記憶部１３は、タッチパネル付き表示装置を動作させるファームウエアおよび表示部２を識別するための識別ＩＤに対応して液晶表示器２１の情報およびタッチパネル２５の情報が定義された表示部情報テーブル（特許請求の範囲でいうところの情報テーブル）を記憶する。図２は、表示部情報テーブルの一例を示している。表示部情報テーブルには、たとえば、表示部２を識別する識別ＩＤに対応して表示部２が有する液晶表示器２１の液晶種別と表示解像度、および表示部２が有するタッチパネル２５のタッチパネルマトリックスサイズが定義される。
【００１５】
ＣＰＵ１０は、記憶部１３に記憶されているファームウエアの処理を実行して、液晶表示器２１に表示する表示データを生成する。また、ＣＰＵ１０は、識別ＩＤ設定部２２に設定されている識別ＩＤと記憶部１３に記憶されている表示部情報テーブルとに基づいて液晶表示部２に用いる表示用クロックやタッチパネル２５のスキャン領域を選択する。
【００１６】
タイミング制御部１１は、たとえば、ＰＬＬ（Phase Locked Loop）回路で構成され発振器１４を用いて複数の周期の表示用クロックを生成するクロック生成部１１３と、ＣＰＵ１０によって液晶表示部２に用いる表示用クロックの設定値が設定される表示用クロック設定レジスタ１１１と、表示用クロック設定レジスタ１１１に設定された表示用クロックの設定値に基づいてクロック生成部１１３によって生成された表示用クロックを選択する表示用クロックセレクタ１１２とを備え、液晶表示器２１を動作させる表示用クロックを生成するとともに、制御部１および表示部２の各構成要素とのタイミングを制御する。
【００１７】
液晶表示部２は、タイミング制御部１１から入力される表示用クロックに基づいてＣＰＵ１０から入力される表示データを表示する。識別ＩＤ設定部２２には、予め定められた表示部２を識別するための識別ＩＤが設定される。具体的には、たとえば、ビット毎に信号線を電源プルアップ、またはグランドプルダウンすることで識別ＩＤが設定される。
【００１８】
入力ポート２３は、ＣＰＵ１０がインタフェースコネクタ１２，２６を介して識別ＩＤ設定部２２に設定されている識別ＩＤを読み出すためのインタフェースである。
【００１９】
キー入力検出部２４は、予め定められたスキャン周期ごとタッチパネル２５からの入力をスキャンして、オペレータからタッチパネル２５を介した入力があったか否かを検出する。
【００２０】
キー入力検出部２４は、タッチパネル２５の垂直方向キー接点とキー入力検出部２４とを接続する垂直方向キーバス２４１と、タッチパネル２５の水平方向キー接点とキー入力検出部２４を接続する水平方向キーバス２４４と、ＣＰＵ１０によって水平方向スキャン動作を実行するか否かが設定されるスキャンマスクレジスタ２４３と、タッチパネル２５の水平方向１ライン中に押された箇所がある場合、すなわち垂直方向キーバス２４１が変化した場合のデータを保持する垂直方向キーレジスタ２４２と、タッチパネル２５の垂直方向１ライン中に押された箇所がある場合、すなわち水平方向キーバス２４４が変化した場合のデータを保持する水平方向キーレジスタ２４５とを備え、タッチパネル２５からの入力を検出するとインタフェースコネクタ２６，１２を介してＣＰＵ１０に割り込みを発生させる。
【００２１】
つぎに、図３〜図７を参照して、この発明にかかる実施の形態のタッチパネル付き表示装置の動作を説明する。まず、図３のフローチャートおよび図４を参照して、表示データと同期した表示用クロックを液晶表示部２に供給するクロック供給動作について説明する。
【００２２】
ＣＰＵ１０は、入力ポート２３を介して識別ＩＤ設定部２２に設定されている識別ＩＤを読み出す（ステップＳ１００）。図４に示すように、識別ＩＤ設定部２２に識別ＩＤとして「００１１ｈ」が設定されていたとする。ＣＰＵ１０は、入力ポート２３を介して識別ＩＤ「００１１ｈ」を読み出す。
【００２３】
ＣＰＵ１０は、読み出した識別ＩＤを検索キーとして、記憶部１３に記憶されている表示部情報テーブルを検索して、接続されている表示部２を識別する（ステップＳ１１０）。ここでは読み出した識別ＩＤが「００１１ｈ」であるので、ＣＰＵ１０は、図４に示すように、記憶部１３に記憶されている表示部情報テーブルから識別ＩＤが「００１１ｈ」の表示部２は液晶表示種別が「ＴＦＴ（Thin Film Transistor）」、表示解像度が「ＶＧＡ（Video Graphics Array）」、タッチパネルマトリックスサイズが「４０×３０」であることを識別する。
【００２４】
ＣＰＵ１０は、識別した表示部２の液晶表示部２に対応する表示用クロックを選択する（ステップＳ１２０）。液晶表示部２に対応する表示用クロックの選択は、液晶表示種別や表示解像度に対応した表示用クロックを示す設定値を登録したテーブルを記憶部１３に記憶しておき液晶表示種別や表示解像度を検索キーとして検索するようにしてもよいし、ファームウエアで選択するようにしてもよい。もちろん、識別ＩＤに対応させて表示部情報テーブルに表示用クロックの設定値も定義しておいてもよい。図４の場合は、表示用クロックの設定値として「０１０１」が選択される。
【００２５】
ＣＰＵ１０は、選択した表示用クロックの設定値を表示用クロック設定レジスタ１１１に設定する（ステップＳ１３０）。図４の場合、ＣＰＵ１０は、「０１０１」を表示用クロック設定レジスタ１１１に設定する。
【００２６】
表示用クロックセレクタ１１２は、クロック生成部１１３によって生成された複数のクロックの中から、表示用クロック設定レジスタ１１１に設定された設定値が示すクロックを表示用クロックとして選択して液晶表示器２１に出力する（ステップＳ１４０）。図４の場合は、設定値「０１０１」が示すクロックを表示用クロックとして選択して液晶表示器２１に出力する。
【００２７】
このように制御部１の記憶部１３に識別ＩＤに対応した表示器の情報（液晶種別、表示解像度）を定義した表示部情報テーブルを記憶しておき、ＣＰＵ１０が表示部２の識別ＩＤ設定部２２に設定されている識別ＩＤに基づいて表示部２が有する液晶表示器２１の情報を読み出して液晶表示器２１に応じた表示用クロックを選択するようにしているので、表示部２を置き換えた場合でもエンドユーザおよびセットメーカが液晶表示器２１の設定を行う必要がなくなり、表示装置の立ち上げ工数を減少することができる。
【００２８】
つぎに、図５のフローチャートおよび図６を参照して、タッチパネル２５のスキャン領域を決定するスキャンマスクレジスタ２４３の設定動作について説明する。ＣＰＵ１０は、入力ポート２３を介して識別ＩＤ設定部２２に設定されている識別ＩＤを読み出す（ステップＳ２００）。
【００２９】
ＣＰＵ１０は、読み出した識別ＩＤを検索キーとして、記憶部１３に記憶されている表示部情報テーブルを検索して、接続されている表示部２を識別する（ステップＳ２１０）。ＣＰＵ１０は、識別ＩＤに対応するタッチパネルマトリックスサイズの垂直方向のサイズに応じたマスクパターンをスキャンマスクレジスタ２４３に設定する（ステップＳ２２０）。マスクパターンは、たとえば、タッチパネルマトリックスサイズの垂直方向のサイズに対応してマスクパターンを登録したテーブルを記憶部１３に記憶しておき、タッチパネルマトリックスサイズの垂直方向のサイズを検索キーとして検索するようにしてもよいし、ファームウエアによって選択するようにしてもよい。もちろん、識別ＩＤに対応させて表示部情報テーブルにマスクパターンを定義するようにしてもよい。
【００３０】
図６は、キー入力検出部２４がスキャン可能なタッチパネル２５の最大領域２５１と、実際にスキャンすべきタッチパネルマトリックスサイズの領域２５２と、スキャンマスクレジスタ２４３の設定値との関係を示している。図６においては、最大領域２５１は、垂直方向ラインＸ０〜Ｘ７、水平方向ラインＹ０〜Ｙ５のマトリックスであり、領域２５２は、垂直方向ラインＸ０〜Ｘ３、水平方向ラインＹ０〜Ｙ２のマトリックスとなっている。また、スキャンマスクレジスタ２４３はＭＳＢから順に水平方向ラインＹ０，Ｙ１，Ｙ２，Ｙ３，Ｙ４，Ｙ５に対応している。
【００３１】
キー入力検出部２４は、スキャンマスクレジスタ２４３に「０」が設定されると水平方向スキャンを行い、スキャンマスクレジスタ２４３に「１」が設定されるとスキャンを行わない。すなわち、スキャンマスクレジスタ２４３に「１」が設定される状態がマスク状態となっている。
【００３２】
ＣＰＵ１０は、表示部２の識別ＩＤに対応するタッチパネルマトリックスサイズから実際にスキャンすべきタッチパネルマトリックスサイズの領域２５２を識別して、水平方向ラインＹ０〜Ｙ２に対応するスキャンマスクレジスタ２４３に「０」を設定し、水平方向ラインＹ３〜Ｙ５に対応するスキャンマスクレジスタ２４３に「１」を設定する。なお、スキャンマスクレジスタ２４３のディフォルト値が「１」（マスク状態）である場合には、水平方向ラインＹ０〜Ｙ２に対応するスキャンマスクレジスタ２４３に「０」を設定すればよい。すなわち、水平方向にスキャンが必要な水平方向ラインのみマスクを解除すればよい。
【００３３】
つぎに、図７を参照して、キー入力検出部２４の水平方向スキャン動作について説明する。キー入力検出部２４は、定常的にはプルアップされて“Ｈ”レベル（“１”）になっている垂直方向キーバス２４１を１行ずつ“Ｌ”レベル（“０”）にドライブする。オペレータによってタッチパネル２５が押されると水平方向キーバス２４４と垂直方向キーバス２４１とが接続する。キー入力検出部２４は、水平方向キーバス２４４と垂直方向キーバス２４１とが接続したことを検出して、検出した箇所の垂直方向キーレジスタ２４２および水平方向キーレジスタ２４５に「１」を設定する。
【００３４】
まず、キー入力検出部２４は、マトリックスの上部（水平方向ラインＹ０）から順にスキャンマスクレジスタ２４３の設定に基づいて水平方向スキャン（Ｈスキャン）を実行する。水平方向ラインＹ０に対応するスキャンマスクレジスタ２４３の設定値は「０」であるので、キー入力検出部２４は、水平方向ラインＹ０の垂直方向キーバス２４１を「０」にドライブして水平方向ラインＹ０の垂直方向ライン数分（垂直方向ラインＸ０〜Ｘ７）のスキャンを行う。
【００３５】
水平方向ラインＹ０の水平スキャンが終了すると、キー入力検出部２４は、水平方向ラインＹ１に対応するスキャンマスクレジスタ２４３の設定値が「０」であるので、水平方向ラインＹ１の垂直方向キーバス２４１を「０」にドライブして水平方向ラインＹ１のライン数分の水平方向スキャンを行う。オペレータによってタッチパネル２５が押されたため、領域２５２の水平方向ラインＹ１，垂直方向ラインＸ２では水平方向キーバス２４４と垂直方向キーバス２４１とが接続されている。キー入力検出部２４は、水平方向ラインＹ２，垂直方向ラインＸ２において水平方向キーバス２４４と垂直方向キーバス２４１とが接続されていることを検出して、垂直方向キーレジスタ２４２および水平方向キーレジスタ２４５を「１」にする。この場合は、垂直方向キーレジスタ２４２のＭＳＢ（６ビット目）から順に水平方向ラインＹ０，Ｙ１，Ｙ２，Ｙ３，Ｙ４，Ｙ５と対応しており、水平方向キーレジスタ２４５のＬＳＢ（０ビット目）から順に垂直方向ラインＸ０，Ｘ１，Ｘ２，Ｘ３，Ｘ４，Ｘ５，Ｘ６，Ｘ７と対応しているので、垂直方向キーレジスタ２４２の５ビット目を「１」にし、水平方向キーレジスタ２４５の２ビット目を「１」にする。
【００３６】
水平方向ラインＹ１の水平スキャンが終了すると、キー入力検出部２４は、水平方向ラインＹ２に対応するスキャンマスクレジスタ２４３の設定値が「０」であるので、水平方向ラインＹ２の垂直方向キーバス２４１を「０」にドライブして水平方向ラインＹ２のライン数分の水平方向スキャンを行う。
【００３７】
水平方向ラインＹ３〜Ｙ５に対応するスキャンマスクレジスタ２４３の設定値は「１」であるので、キー入力検出部２４は、水平方向ラインＹ３〜Ｙ５のスキャンを実行しない。すなわち、表示部２の識別ＩＤに対応するタッチパネルマトリックスサイズから実際にキースキャンすべきタッチパネルマトリックスサイズの領域２５２のみを水平方向スキャンする。
【００３８】
領域２５２の水平方向スキャン動作が終了した際に、垂直方向キーレジスタ２４２および水平方向キーレジスタ２４５に「１」が設定されている場合、すなわちタッチパネル２５が押されていることを検出した場合には、ＣＰＵ１０に対して割り込みを発生させる。そして、予め定められたスキャン周期になると、水平方向ラインＹ０から水平方向スキャンを開始する。
【００３９】
このように制御部１の記憶部１３に識別ＩＤに対応したタッチパネルの情報（タッチパネルマトリックスサイズ）を定義した表示部情報テーブルを記憶しておき、ＣＰＵ１０が表示部２の識別ＩＤ設定部２２に設定されている識別ＩＤに基づいて表示部２が有するタッチパネル２５のマトリックスサイズを認識し、タッチパネル２５のマトリックスサイズに応じた水平方向スキャンを行うようにスキャンマスクレジスタ２４３を設定し、キー入力検出部２４がマスクされた水平方向ラインについては水平方向スキャンを行わないようにしているので、タッチパネル２５のサイズにあわせた水平方向スキャンを行うことができ、タッチキーレスポンス性能の低下を抑制することができる。
【００４０】
以上説明したように、この実施の形態では、タッチパネル２５、タッチパネル２５の入力位置を検出するキー入力検出部２４、および表示データを表示する液晶表示器２１を有する表示部２と、表示部２を制御する制御部１とにインタフェースコネクタ２６，１２を備えて、インタフェースコネクタ２６，１２によって表示部２と制御部２とを接続する構成とし、制御部１は表示部２に付与されている識別ＩＤを読み出すことで接続された表示部２を識別するようにしているので、制御部１のみを制御盤内に設置し、制御部２と表示部１とをインタフェースコネクタ１２，２６によってケーブルなどで接続することができ、制御盤面のパネルカットを行うことなく、表示部２の設置自由度を向上することができる。
【００４１】
また、制御部１は、表示部２に付与された識別ＩＤに対応して表示部２が備える液晶表示器２１の情報およびタッチパネル２５の情報が定義された表示部情報テーブルを備え、表示部２の識別ＩＤを読み出して表示部２が有する液晶表示器２１およびタッチパネル２５を識別するようにしているので、接続する表示部２を置き換えた場合でも液晶表示器２１およびタッチパネル２５に関する設定を行う必要がなくなり、設置のための工数を減少することができる。
【産業上の利用可能性】
【００４２】
以上のように、この発明にかかるタッチパネル付き表示装置は、制御盤から離れたところに表示ユニットを設置する場合に有用であり、特に、タッチパネルや表示器を変更することがある表示装置に適している。
【図面の簡単な説明】
【００４３】
【図１】この発明にかかる実施の形態のタッチパネル付き表示装置の構成を示すブロック図である。
【図２】表示部情報テーブルの一例を示す図である。
【図３】この発明にかかる実施の形態のタッチパネル付き表示装置の動作を説明するためのフローチャートである。
【図４】この発明にかかる実施の形態のタッチパネル付き表示装置の動作を説明するための図である。
【図５】この発明にかかる実施の形態のタッチパネル付き表示装置の動作を説明するためのフローチャートである。
【図６】この発明にかかる実施の形態のタッチパネル付き表示装置の動作を説明するための図である。
【図７】この発明にかかる実施の形態のタッチパネル付き表示装置の動作を説明するための図である。
【符号の説明】
【００４４】
１  制御部
２  表示部
１０  ＣＰＵ
１１  タイミング制御部
１２，２６  インタフェースコネクタ
１３  記憶部
１４  発振器
２１  液晶表示器
２２  識別ＩＤ設定部
２３  入力ポート
２４  キー入力検出部
２５  タッチパネル
１１１  表示用クロック設定レジスタ
１１２  表示用クロックセレクタ
１１３  クロック生成部
２４１  垂直方向キーバス
２４２  垂直方向キーレジスタ
２４３  スキャンマスクレジスタ
２４４  水平方向キーバス
２４５  水平方向キーレジスタ
【図１】
2006107097.tif 000003
【図２】
2006107097.tif 000004
【図３】
2006107097.tif 000005
【図４】
2006107097.tif 000006
【図５】
2006107097.tif 000007
【図６】
2006107097.tif 000008
【図７】
2006107097.tif 000009